(57)【要約】    【課題】  医療等の現場において多用される酸素流量計等、流量計の流量を簡易に検査することのできる流量計検査装置を提供すること。    【解決手段】  流量計検査装置１０は、被検対象の流量計（検査物）Ｆに流通させる気体を取り込む給気部１と、気体を検査物Ｆに流通させる前の前処理を行う前処理部２と、検査物Ｆを上流側で接続するための第一接続部３と、同下流側で接続するための第二接続部４と、検査物Ｆ内を流通した気体についてその流量を測定する測定部５と、測定後の気体を排気する排気部６とが、単一の収容体９に設けられて一体に構成された装置である。【選択図】  図１
2016065727.tif 000002
【特許請求の範囲】
【請求項１】
被検対象の流量計（以下、「検査物」という。）に流通させる気体を取り込む給気部と、該気体を該検査物に流通させる前の前処理を行う前処理部と、該検査物を上流側で接続するための第一接続部と、同下流側で接続するための第二接続部と、該検査物内を流通した気体についてその流量を測定する測定部と、測定後の気体を排気する排気部とが、一体に構成されていることを特徴とする、流量計検査装置。
【請求項２】
各部が単一の収容体に設けられていることを特徴とする、請求項１に記載の流量計検査装置。
【請求項３】
前記前処理部では、前記給気部から取り込んだ気体の圧力または流量の少なくともいずれかが調整されることを特徴とする、請求項１または２に記載の流量計検査装置。
【請求項４】
前記前処理部は、少なくとも減圧弁および流量調整用弁を含むことを特徴とする、請求項１ないし３のいずれかに記載の流量計検査装置。
【請求項５】
前記前処理部には、前記給気部から取り込んだ気体の圧力を自動的に調整する自動圧力調整手段を含むことを特徴とする、請求項１ないし４のいずれかに記載の流量計検査装置。
【請求項６】
前記測定部は、マスフローメータ機能を含むことを特徴とする、請求項１ないし５のいずれかに記載の流量計検査装置。
【請求項７】
少なくとも前記測定部による測定データの表示がなされる表示部を備えていることを特徴とする、請求項１ないし６のいずれかに記載の流量計検査装置。
【請求項８】
前記測定部による測定データを外部での処理に供するための出力部を備えていることを特徴とする、請求項１ないし７のいずれかに記載の流量計検査装置。
【請求項９】
複数の種類の流量計の検査に対応可能であることを特徴とする、請求項１ないし８のいずれかに記載の流量計検査装置。
【請求項１０】
下記＜Ｍ＞に示す一または複数の流量計の検査に対応可能であることを特徴とする、請求項１ないし９のいずれかに記載の流量計検査装置。
＜Ｍ＞  酸素、空気、二酸化炭素（炭酸ガス）、窒素、亜酸化窒素（笑気ガス）
【請求項１１】
水平設置のために水準器を備えていることを特徴とする、請求項１ないし１０のいずれかに記載の流量計検査装置。
【請求項１２】
ピン方式配管端末器を採用している流量計（ピン型の流量計）を検査対象とすることを特徴とする、請求項１ないし１１のいずれかに記載の流量計検査装置。
【請求項１３】
下記＜Ｌ＞に示す一または複数のガスを対象とする流量計の検査に対応可能であることを特徴とする、請求項１２に記載の流量計検査装置。
＜Ｌ＞  酸素（吸入用を含む）、亜酸化窒素(笑気ガス)、医療用途の圧縮空気（医療用空気）
【請求項１４】
医療用途のガス用の流量計の検査に対応可能であることを特徴とする、請求項１ないし１３のいずれかに記載の流量計検査装置。
【発明の詳細な説明】
【技術分野】
【０００１】
本発明は流量計検査装置に係り、特に、医療等の現場において多用される酸素流量計やその他の医療用途のガス用流量計等を初めとして、広く、流量計の流量を簡易に検査することのできる、流量計検査装置に関するものである。
【背景技術】
【０００２】
総合病院を初めとする医療現場においては、患者の酸素吸入等のために、酸素流量計が多用されている。酸素流量計は使っているうちに浮き子の玉が摩耗し、正確な流量を表示しなくなってくる。規格では、０〜２Ｌ用のものは誤差±２０％以内、３〜１５Ｌ用のものは誤差±１０％以内となっており、随時、流量誤差を検査して、正確な流量を表示するように調整、較正する必要がある。
【０００３】
かかる必要性に対応するため、従来、所定の検査方法が酸素流量計メーカーにより推奨されている。それは、酸素流量計を酸素ボンベまたは壁面設置の酸素配管等の給気口に接続するとともに、これにデジタル式等のマスフローメータ、大気圧式流量計、または精密流量計のいずれかを接続し、酸素ボンベ側の圧力を調整しつつ酸素を流し、マスフローメータに表示される流量を確認する、という方法である。かかる方法によって酸素流量計を検査し、流量を正確かつ確実に管理することが、殊に医療現場では重要なことである。
【０００４】
さて、酸素流量計、酸素供給技術については従来、複数の特許出願等もなされている。たとえば後掲特許文献１には、在宅酸素療法に不可欠な濃縮酸素ガス供給装置において処方で設定された流量を常に正確に監視するために、濃縮酸素ガスチューブとの持続部側の供給部の配管内部に流量を妨げない抵抗体を配設して差圧型流量計を構成し、これを利用して抵抗体両端の差圧を検知することで酸素ガスの流量情報を検知する技術が開示されている。
【０００５】
また特許文献２には、各種ガスの圧力および流量測定を簡略化できる流量計測装置として、流体が流れるとともに、流体の静圧を測定するための静圧測定孔を壁面に有する導通路と、導通路の静圧測定孔よりも下流域を貫通して流体の流れに正対する向きとは逆向きの位置に流体の後流圧を測定する後流圧孔を有する後流圧検出管と、静圧測定孔および後流圧検出管によって計測される圧力を流体の種類ごとの参照データに基づいて流体の流量値を計測し、出力する流量計測部とを備えた装置が開示されている。
【先行技術文献】
【特許文献】
【０００６】
【特許文献１】特開２００１−２８６５６６号公報「医療用の濃縮酸素ガス供給装置」
【特許文献２】実用新案登録第３１７９７２０号公報「流量計測装置」
【発明の概要】
【発明が解決しようとする課題】
【０００７】
さて、上述のように酸素流量計の流量検査のためには、酸素流量計を酸素給気口およびマスフローメータ等の測定装置双方に接続して流量を確認する方法が既に提供されている。しかしながらかかる方法は、接続形態や手順が理科の実験のような感じの煩雑・複雑な印象を与えるせいか、また、時間が掛かるせいか、敬遠され気味なところがあり、専門の技術者に乏しい小規模医療施設等においてはほとんど実施されておらず、総合病院においてさえも実施されにくいのが実情である。
【０００８】
しかし、酸素流量の正確な把握・管理は患者の生命に関わることでもあり、患者側にとっても医療施設側にとっても、酸素流量計の流量をより簡易に検査実施できる技術の提供が必須な状況である。もちろん医療現場に限定されず、酸素流量計の必要なあらゆる局面において、それはいえる。また、かかる問題が上記各先行技術によって解決できるものでもない。
【０００９】
そこで本発明が解決しようとする課題は、かかる従来技術の問題点を踏まえ、医療等の現場において多用される酸素流量計やその他の医療用途のガス用流量計等を初めとして、広く、流量計の流量を簡易に検査することのできる流量計検査装置を提供することである。
【課題を解決するための手段】
【００１０】
本願発明者は上記課題について鋭意検討した結果、流量計を従来のように酸素等給気口およびマスフローメータ等の測定装置双方に別々に接続するのではなく、一個の装置に対して接続可能とするよう、検査に必要な機能および配管を１セットに纏めることによって、使い勝手を良くし、検査効率を飛躍的に向上可能となり、これによって課題解決できることを見出し、これを基礎として本発明を完成するに至った。すなわち、上記課題を解決するための手段として本願で特許請求される発明、もしくは少なくとも開示される発明は、以下の通りである。
【００１１】
〔１〕  被検対象の流量計（以下、「検査物」という。）に流通させる気体を取り込む給気部と、該気体を該検査物に流通させる前の前処理を行う前処理部と、該検査物を上流側で接続するための第一接続部と、同下流側で接続するための第二接続部と、該検査物内を流通した気体についてその流量を測定する測定部と、測定後の気体を排気する排気部とが、一体に構成されていることを特徴とする、流量計検査装置。
〔２〕  各部が単一の収容体に設けられていることを特徴とする、〔１〕に記載の流量計検査装置。
〔３〕  前記前処理部では、前記給気部から取り込んだ気体の圧力または流量の少なくともいずれかが調整されることを特徴とする、〔１〕または〔２〕に記載の流量計検査装置。
〔４〕  前記前処理部は、少なくとも減圧弁および流量調整用弁を含むことを特徴とする、〔１〕ないし〔３〕のいずれかに記載の流量計検査装置。
【００１２】
〔５〕  前記前処理部には、前記給気部から取り込んだ気体の圧力を自動的に調整する自動圧力調整手段を含むことを特徴とする、〔１〕ないし〔４〕のいずれかに記載の流量計検査装置。
〔６〕  前記測定部は、マスフローメータ機能を含むことを特徴とする、〔１〕ないし〔５〕のいずれかに記載の流量計検査装置。
〔７〕  少なくとも前記測定部による測定データの表示がなされる表示部を備えていることを特徴とする、〔１〕ないし〔６〕のいずれかに記載の流量計検査装置。
〔８〕  前記測定部による測定データを外部での処理に供するための出力部を備えていることを特徴とする、〔１〕ないし〔７〕のいずれかに記載の流量計検査装置。
〔９〕  複数の種類の流量計の検査に対応可能であることを特徴とする、〔１〕ないし〔８〕のいずれかに記載の流量計検査装置。
〔１０〕  下記＜Ｍ＞に示す一または複数の流量計の検査に対応可能であることを特徴とする、〔１〕ないし〔９〕のいずれかに記載の流量計検査装置。
＜Ｍ＞  酸素、空気、二酸化炭素（炭酸ガス）、窒素、亜酸化窒素（笑気ガス）
〔１１〕  水平設置のために水準器を備えていることを特徴とする、〔１〕ないし〔１０〕のいずれかに記載の流量計検査装置。
〔１２〕  ピン方式配管端末器を採用している流量計（ピン型の流量計）を検査対象とすることを特徴とする、〔１〕ないし〔１１〕のいずれかに記載の流量計検査装置。
〔１３〕  下記＜Ｌ＞に示す一または複数のガスを対象とする流量計の検査に対応可能であることを特徴とする、〔１２〕に記載の流量計検査装置。
＜Ｌ＞  酸素（吸入用を含む）、亜酸化窒素(笑気ガス)、医療用途の圧縮空気（医療用空気）
〔１４〕  医療用途のガス用の流量計の検査に対応可能であることを特徴とする、〔１〕ないし〔１３〕のいずれかに記載の流量計検査装置。
【発明の効果】
【００１３】
本発明の流量計検査装置は上述のように構成されるため、これによれば、医療等の現場において多用される酸素流量計等、流量計の流量を、使い勝手よく簡易に検査することができる。また検査方法が簡易であるため、たとえ器具の取り扱いが不得手であっても容易に使うことができ、検査者を選ばず誰にでも手軽に検査することができる。さらに、検査効率を飛躍的に向上させることができる。
【００１４】
上述の通り従来の検査方法は、理科の実験のような感じの煩雑さ故に敬遠され、そのため実施したとしても時間が掛かってしまうという面があった。しかし本発明装置によれば、一個の装置に流量計を接続すればよく、後は所定の操作方法に委ねればよいため、より装置に親しみやすい。これが、使い勝手の良さ、ひいては検査効率の良さにつながり、検査実施への動機付けにもなる。したがって、酸素流量計やその他の医療用途のガス用流量計が多用されその確実な検査態勢が求められる医療現場において、本発明は大いに有効である。
【図面の簡単な説明】
【００１５】
【図１】本発明の流量計検査装置の基本的構成例を示す概念図である。
【図２】本発明の流量計検査装置の第二の構成例を示す概念図である。
【図３】本発明の流量計検査装置の第三の構成例を示す概念図である。
【図４】本発明の流量計検査装置の第四の構成例を示す概念図である。
【図５】本発明の流量計検査装置実施例の構成を示す説明図である。
【図６】図５に示す実施例装置の外観写真である。
【図７】図５に示す実施例装置に係る正六面図である。
【発明を実施するための形態】
【００１６】
以下、本発明をより詳細に説明する。なお、本発明完成の契機となった酸素流量計用の流量計検査装置を主として説明するが、本発明がかかる用途に限定されないことはいうまでもない。
図１は、本発明の流量計検査装置の基本的構成例を示す概念図である。図示するように本発明流量計検査装置１０は、被検対象の流量計（検査物）Ｆに流通させる気体を取り込む給気部１と、気体を検査物Ｆに流通させる前の前処理を行う前処理部２と、検査物Ｆを上流側で接続するための第一接続部３と、同下流側で接続するための第二接続部４と、検査物Ｆ内を流通した気体についてその流量を測定する測定部５と、測定後の気体を排気する排気部６とが、一体に構成されていることを、特徴的構成とする装置である。
【００１７】
そしてこれら各部、すなわち給気部１、前処理部２、第一接続部３、第二接続部４、測定部５および排気部６は、単一の収容体９に設けられた構成とすることができる。なお測定部５としては、たとえばマスフローメータないしはマスフローメータ機能を好適に用いることができるが、検査物Ｆにおける流量検査用に適うものであればいかなるものであってもよい。
【００１８】
かかる構成により本発明流量計検査装置１０においては、検査物Ｆの上流側が第一接続部３に、下流側が吐出側配管Ｆｔを介して第二接続部４にそれぞれ接続され、外部の酸素ボンベまたは壁面設置の酸素配管等の給気口から給気部１によって検査物Ｆに流通させる気体が取り込まれ、取り込まれた気体には前処理部２において検査物Ｆに流通させる前の前処理がなされ、前処理された気体は第一接続部３を介して検査物Ｆへと送られ、検査物Ｆ内を流通した気体は吐出側配管Ｆｔを介して第二接続部４へと送り込まれ、送り込まれた気体は測定部５においてその流量を測定されて、本装置１０の目的が達せられる。また測定後の気体は排気部６から排気される。
【００１９】
各部は単一の収容体９に一体に設けられているため、検査物Ｆをつなげる先は全て本流量計検査装置１０にあり、使い勝手がよい。なお前処理部２では、給気部１から取り込んだ気体の圧力または流量の少なくともいずれかが調整されることとする。
【００２０】
図２は、本発明の流量計検査装置の第二の構成例を示す概念図である。図示するように本例の流量計検査装置２１０は、前処理部２２が少なくとも減圧弁２２Ａおよび流量調整用弁２２Ｂを含んで構成されることを特徴とする。減圧弁（レギュレータ）２２Ａは、壁面設置の酸素配管等の給気口から給気部２１によって取り込まれた気体を、検査ないしは検査物の流通容量に適した気圧となるよう減圧処理するものである。また、流量調整用弁２２Ｂは、検査に適した気体流量の調整、気体供給、停止の操作がなされる。これは、手動弁とすることが適している。なお図中、符号２２Ｃで示される要素は、減圧処理用の圧力計（圧力表示部）である。
【００２１】
すなわち、壁面設置の酸素配管等の給気口から給気部２１によって取り込まれた気体は、前処理部２２の減圧弁２２Ａにおいて検査に適した、ないしは検査物の流通容量に適した気圧となるよう減圧処理がなされ、また流量調整用弁２２Ｂにおいて検査に適した流通量とすべく気体流量の調整がなされ、後流側への気体供給、停止の操作がなされる。かかる前処理がなされた気体は第一接続部２３を介して検査物へと送られ、以後の処理がなされる。
【００２２】
さて、実際の検査方法について説明する。医療機関における壁面設置の酸素配管（アウトレット）の仕様圧力は、０．４ＭＰａであり、実際はこれより少し高めにされている。そこで検査にあたっては、本発明流量計検査装置２１０の一次圧を減圧弁（レギュレータ）２２Ａで０．４ＭＰａに調整設定する。その後、検査物（酸素流量計）をセットし、流量調整用弁２２Ｂ（手動弁）を開き、検査を開始する。ここで、検査物（酸素流量計）のノズルを検査流量（例．５Ｌ／ｍｉｎ）に合わせて酸素を流すと、１次側圧力が少し低下する。
【００２３】
そこで、それを減圧弁（レギュレータ）２２Ａにて０．４ＭＰａに調整し直す。そして、再度、検査物（酸素流量計）の流量を確認して設定値（５Ｌ／ｍｉｎ）であれば、測定部（例．デジタルマスフローメータ）によって測定され表示された量値が、検査による正確な値となる。かかる操作方法をさらに改善し、より簡易な検査を実現する方式について、次に説明する。
【００２４】
図３は、本発明の流量計検査装置の第三の構成例を示す概念図である。図示するように本例の流量計検査装置３１０は、前処理部３２が少なくとも給気部３１から取り込んだ気体の圧力を自動的に調整する自動圧力調整手段３２Ｃを含むことを、特徴的構成とする。自動圧力調整手段３２Ｃとしては、たとえば市販のデジタルオートプレッシャレギュレータ等を好適に用いることができる。これが、より簡易な検査を実現する方式である。
【００２５】
すなわち、かかる構成例の本発明装置３１０では、前処理部３２の減圧弁（１次側レギュレータ。図示せず。）に自動圧力調整機能を備えているため、検査物に酸素を流すことによって発生する一次側の圧力低下を、設定値（例．０．４ＭＰａ）に自動調整することができる。本例によれば、調整し直しの操作を省くことができ、本発明装置の使い勝手をよりよくすることができる。
【００２６】
図４は、本発明の流量計検査装置の第四の構成例を示す概念図である。図示するように本発明装置４１０は、少なくとも測定部４５による測定データの表示がなされる表示部４７を備えるものとする。なお、検査装置が表示部を備えることは当然であるため、かかる構成は図１〜３の構成例では省略したが、念のため本例にて明記するものである。
【００２７】
図示するように本流量計検査装置４１０は、測定部４５による測定データを外部の情報処理装置（パーソナルコンピュータ等）やその他の処理機能における処理に供するための出力部４８を備えた構成とすることもできる。かかる構成により、測定データを外部に保存したり、事後的にまたは測定と同時に分析・解析処理することが可能となる。出力部４８の具体的構成としては、ＵＳＢ（ユニバーサルシリアルバス）その他、従来公知の方式を適宜用いることができる。
【実施例】
【００２８】
実施例
以下、本発明の実施例を説明するが、本発明がこれらの実施例に限定されるものではない。
図５は、本発明の流量計検査装置実施例の構成を示す説明図、また図６は、図５に示す装置の外観写真である。また図７は、実施例装置に係る正六面図であり、検査物の酸素流量計を接続した状態を示す。図示するように本実施例装置５１０は、被検対象の酸素流量計（検査物）Ｆに流通させる気体を取り込む給気部５１と、気体を検査物Ｆに流通させる前の前処理を行う前処理部として減圧弁（レギュレータ）５２Ａ、流量調整用弁５２Ｂと、検査物Ｆを上流側で接続するための第一接続部５３と、同下流側で接続するための第二接続部５４と、検査物Ｆ内を流通した気体についてその流量を測定する測定部５５と、測定後の気体を排気する排気部５６とが一体に構成されて、単一の収容体（筐体）５９に設けられた構成である。
【００２９】
なお、測定部５としてはマスフローメータを用いた。また、筐体５９表面上で核にできるように、表示部（流量表示部）５７および圧力計（圧力表示部）５２Ｃを設けた。また、流量調整用弁５２Ｂは手動弁とした。また、第一接続部５３と第二接続部５４は筐体５９の同一面上に設けて、検査物Ｆを接続しやすいようにした。また、給気部５１と排気部（排出口）５も筐体５９の同一面上に設けた。なお、図には示していないが、一次圧側の圧力調整を自動化するための自動圧力調整手段３２Ｃとして、デジタルオートプレッシャレギュレータを用いた。
【００３０】
以下、本実施例装置５１０の使用方法を、設置から順を追って説明する。なお、総合病院等一般の医療機関での使用方法である。
＜１．設置と接続準備＞
１．−１  設置
流量計検査装置５１０を平らな作業台の上に置く。酸素流量計の取付けや確認をしやすいよう、第一接続部５３と第二接続部５４の設けられた筐体５９前面を手前側にする。
１．−２  事前確認
下記の状態を確認する。
・電源プラグ５００がコンセントに接続されていないこと。
・減圧弁５２Ａおよび・流量調整用弁５２Ｂが閉じていること。
【００３１】
＜２．接続＞  
２．−１  酸素供給口への接続  
壁面の酸素供給口に供給コネクタＰａを接続する。
２．−２  電源接続
ＡＣ１００Ｖコンセントに付属ＡＣアダプタの電源プラグ５００を接続し、圧力表示部５２Ｃと流量表示部５７に「ＺＥＲＯ」が表示されることを確認する
２．−３  圧力調整
減圧弁５２Ａの調整ノブを回して、圧力表示部５２Ｃの圧力が「０．４ＭＰａ」となるように調整する。
【００３２】
＜３．測定＞  
３．−１  酸素流量計接続
測定（検査）対象の酸素流量計Ｆを第一接続部（流量計接続口）５３に差し込む。
３．−２  吐出側配管接続
酸素流量計Ｆ下部に流量計接続コネクタＦｃをつなぐ。
３．−３  酸素供給
流量調整用弁５２Ｂを「開」にする。
【００３３】
３．−４  流量調整
酸素流量計Ｆのツマミを回し「開」状態として酸素を流通させ、内部の浮き子が所定の圧力を表示するように流量を調整する。
３．−５  流量表示
流量表示部５７に表示される流量を、検査値とする。
３．−６  繰り返し測定
酸素流量計Ｆのツマミを閉じ、流量調整用弁５２Ｂを閉じ、流量計接続コネクタＦｃを取り外し、酸素流量計Ｆを取り外し、次の検査物の測定に供する。
【００３４】
以上説明した実施例装置５１０を用いて、長期間検査のなされていない複数の酸素流量計の検査を行ったところ、検査を一度も行ったことのない看護師、准看護師であっても容易に操作して、検査を実施することができた。
【００３５】
その他
ここまで酸素流量計検査用を主として本発明を説明してきたが、本発明がかかる用途に限定されないことは、上述のとおりである。つまり、液体を含むあらゆる流体の流量計の検査用に、「必要な機能および配管を１セットに纏めることによって使い勝手を良くし、検査効率を飛躍的に向上させる」という、本発明の考え方は適用可能である。殊に、ガス流量計の検査用として、実用性が高い。なおガス流量計は、医療、製造現場等における監視、分析試験、理科教育、その他広範な分野において用いられているが、本発明が分野に限定されないことはもちろんである。
【００３６】
医療やその関連分野に関しては、医療ガスの流量計の検査用として、本発明は実用性が高い。たとえば、患者への酸素吸入用としての酸素の他に、麻酔器等用途での酸素・空気・亜酸化窒素（笑気ガス）、小児科用途での窒素、手術室用途での二酸化炭素（炭酸ガス）といった各種医療ガスがあるが、これら医療ガスの流量を計測する流量計について検査が必要な場合に、本発明の流量計検査装置は有効である。
【００３７】
ガスの種類による流量計仕様の相違がある場合でも、アダプタプラグ等の装置構成・設計・仕様や、パラメータの設定変更等の使用・運用方法を備えることによって、対応することができる。また現在、医療現場において、壁面設置の配管（パイピング）による給気が可能な主な医療ガスは酸素と空気であるが、その他のガスであっても、少なくとも機器内蔵型流量計やボンベの圧力調整器の精度検査として使用する場合には、本発明装置を十分適用可能である。
【００３８】
なお本発明の流量計検査装置は、たとえば酸素流量計専用とするなど、特定種類の流量計専用の検査装置として構成することも、たとえば酸素流量計・空気流量計・笑気ガス流量計用兼用とするなど、二種類以上の流体用の検査装置として構成することも可能であり、いずれにせよ本発明の範囲内である。
【００３９】
また、本発明の流量計検査装置は、水平設置のために水準器を備えている（図示せず）構成とすることができる。これにより装置の水平設置を確保することが可能となり、また特に、接続時および検査中において垂直を維持する必要のある流量計の検査において便利である。
【００４０】
たとえば、酸素、亜酸化窒素(笑気ガス)、医療用空気（医療用途の圧縮空気)といった医療用途の各ガスの流量計においては、垂直に設置して測定する必要があり、そのためこれらの流量計では、チャック部分に、２本または３本のピンが対象ガス種固有の配置にて設けられている。かかる構造により、セット時における垂直での接続がなされる。しかし、流量計検査装置の設置角度（水平）が保証されていなくては正確な測定、高精度の検査には不十分である。しかし、水準器を備えた構成の本発明装置であれば、このようなピン方式配管端末器を採用している流量計（ピン型）であっても、接続および検査中に亘って流量計の垂直を正確かつ確実に維持できるため、便利である。
【産業上の利用可能性】
【００４１】
本発明の流量計検査装置によれば、医療等の現場において多用される酸素流量計やその他の医療用途のガス用流量計等、流量計の流量を、使い勝手よく簡易に検査することができ、また検査方法が簡易であるため、誰にでも手軽に検査することができ、検査効率を飛躍的に向上させることができる。したがって医療機器、医療用途のガス、医療、および関連する全産業分野において、産業上利用性が高い発明である。
【符号の説明】
【００４２】
１、２１、３１、４１、５１…給気部
２、２２、３２、４２…前処理部
２２Ａ、５２Ａ…減圧弁
２２Ｂ、５２Ｂ…流量調整用弁
２２Ｃ、５２Ｃ…圧力計（圧力表示部）
３、２３、３３、４３、５３…第一接続部
５３Ｃ…第一接続部のキャップ
３２Ｃ…自動圧力調整手段
４、２４、３４、４４、５４…第二接続部
４７、５７…表示部
４８…出力部
５、２５、３５、４５、５５…測定部
５００…電源プラグ
６、２６、３６、４６、５６…排気部
９、２９、３９、４９、５９…収容体
１０、２１０、３１０、４１０、５１０…流量計検査装置
Ｆ…被検対象の流量計（検査物）
Ｆｃ…流量計接続コネクタ
Ｆｔ…吐出側配管
Ｐａ…供給コネクタ
【図１】
2016065727.tif 000003
【図２】
2016065727.tif 000004
【図３】
2016065727.tif 000005
【図４】
2016065727.tif 000006
【図５】
2016065727.tif 000007
【図６】
2016065727.tif 000008
【図７】
2016065727.tif 000009